(57)【要約】  【課題】  従来のセンタレス研削盤に配設された砥石車用や調整車用のドレッシング装置を省略した、センタレス研削盤におけるドレッシング方法とその装置を提供すること。  【解決手段】  センタレス研削盤におけるドレッシング装置は、研削砥石１１を有する取付台２と、調整砥石１６を有する取付台３が対向して配設され、この間に配設されたブレード７上の加工材ｗを、前記研削砥石１１の回転研削力により研削加工するセンタレス研削盤Ａにおいて、前記両取付台２，３のうちの少なくとも一方の取付台２又は３は、前記研削砥石１１又は調整砥石１６に替えて、ドレッシング用のロータリー式又はバイト式ドレス工具Ｂ，Ｂ´，Ｃを装脱着可能に構成されているもので、ドレッシング方法は、前記取付台２又は３の一方に取付けられたロータリー式又はバイト式ドレス工具Ｂ，Ｂ´，Ｃにより、前記他方の取付台２又は３の研削砥石又１１は調整砥石１６をドレッシングすることを特徴とするものである。【選択図】    図４
2006218562.tif 000002
【特許請求の範囲】
【請求項１】
研削砥石を有する取付台と、調整砥石を有する取付台が対向して配設され、この間に配設されたブレード上の加工材を、前記研削砥石の回転研削力により研削加工するセンタレス研削盤において、
前記両取付台のうちの少なくとも一方の取付台は、前記研削砥石又は調整砥石に替えて、ドレッシング用のロータリー式又はバイト式ドレス工具を装脱着可能に構成されており、
前記取付台の一方に取付けられたロータリー式又はバイト式ドレス工具により、前記他方の取付台の研削砥石又は調整砥石をドレッシングすることを特徴とする、センタレス研削盤におけるドレッシング方法。
【請求項２】
研削砥石を有する取付台と、調整砥石を有する取付台が対向して配設され、この間に配設されたブレード上の加工材を、前記研削砥石の回転研削力により研削加工するセンタレス研削盤において、
前記両取付台のうちの少なくとも一方の取付台は、前記研削砥石又は調整砥石に替えて、前記他方の取付台の研削砥石又は調整砥石をドレッシングするロータリー式又はバイト式ドレス工具を装脱着可能に構成されていることを特徴とする、センタレス研削盤におけるドレッシング装置。
【請求項３】
両取付台のうちの少なくとも一方の取付台は、
研削砥石を有する砥石車又は調整砥石を有する調整車を、両持状又は片持状に支持する支持部を備え、
ロータリー式ドレス工具は、前記支持部に両持状又は片持状に支持される手段を備えていることを特徴とする、請求項２に記載のセンタレス研削盤におけるドレッシング装置。
【請求項４】
両取付台のうちの少なくとも一方の取付台は、
固定軸の一端を揺動可能に枢支する支持部と、前記固定軸の他方自由端を固定することとなる支持部と、研削砥石を有する砥石車輪又は調整砥石を有する調整車輪を装脱着する、前記固定軸に回転可能に設けられた装着部を備え、
ロータリー式ドレス工具は、前記装着部に装着する手段を備えていることを特徴とする、前記請求項２に記載のセンタレス研削盤におけるドレッシング装置。
【請求項５】
他方の取付台は、バイト式ドレス工具を備えていることを特徴とする、前記請求項３又は４に記載のセンタレス研削盤におけるドレッシング装置。
【発明の詳細な説明】
【技術分野】
【０００１】
本発明は、円筒状加工材の周面などを研削加工するセンタレス研削盤における砥石車の研削砥石や調整車の調整砥石の、表面状態や形状を修正するドレッシング（ツルーイング）方法とその装置に関するものである。
【背景技術】
【０００２】
センタレス研削盤における砥石車の研削砥石や調整車の調整砥石をドレッシングする手段は、例えば取付台から砥石車や調整車を取外して機外修正機によりドレッシングする手段のほか、この砥石車及び調整車の各背部位に配備されたドレッシング（ツルーイング）装置による手段がある（例えば、特許文献１及び２参照）。
【０００３】
【特許文献１】実公平３−３７８８６号公報
【特許文献２】特開２００４−５０３８０号公報
【発明の開示】
【発明が解決しようとする課題】
【０００４】
ドレッシング装置を備えたセンタレス研削盤は、上記文献１，２のごとくバイトやロータリーダイヤモンドなどのドレス工具の駆動機構が、砥石車用及び調整車用にそれぞれに配設されているものであるから、機械が大型で高価なものとなり、また機外修正機の配備は、経費がかかることとなる。
【０００５】
本発明は、従来のセンタレス研削盤に配設された砥石車用や調整車用のドレッシング装置を省略した、センタレス研削盤におけるドレッシング方法とその装置を提供することにより、機械全体の構造の簡素、小型化、低コスト化を図るものである。
【課題を解決するための手段】
【０００６】
上記目的を達成するセンタレス研削盤におけるドレッシング装置は、研削砥石を有する取付台と、調整砥石を有する取付台が対向して配設され、この間に配設されたブレード上の加工材を、前記研削砥石の回転研削力により研削加工するセンタレス研削盤において、前記両取付台のうちの少なくとも一方の取付台は、前記研削砥石又は調整砥石に替えて、ドレッシング用のロータリー式又はバイト式ドレス工具を装脱着可能に構成されているもので、ドレッシング方法は、前記取付台の一方に取付けられたロータリー式又はバイト式ドレス工具により、前記他方の取付台の研削砥石又は調整砥石をドレッシングするものである。
ドレッシング装置の第２の手段は、前記両取付台のうちの少なくとも一方の取付台が、研削砥石を有する砥石車又は調整砥石を有する調整車を、両持状又は片持状に支持する支持部を備え、ロータリー式ドレス工具は、前記支持部に両持状又は片持状に支持される手段を備えているものであり、
ドレッシング装置の第３の手段は、前記両取付台のうちの少なくとも一方の取付台が、固定軸の一端を揺動可能に枢支する支持部と、前記固定軸の他方自由端を固定することとなる支持部と、研削砥石を有する砥石車輪又は調整砥石を有する調整車輪を装脱着する、前記固定軸に回転可能に設けられた装着部を備え、ロータリー式ドレス工具は、前記装着部に装着する手段を備えているものであり、そして第４の手段は、前記ドレッシング装置の第２又は第３の手段における他方の取付台が、バイト式ドレス工具を備えているものである。
【発明の効果】
【０００７】
本発明に係るセンタレス研削盤におけるドレッシング方法とその装置は、研削砥石を有する砥石車及び調整車を有する調整車などを、どちらの取付台にも取付けることができると共に、両取付台のうちの一方若くはそれぞれに、ドレス工具を配装することができる構成であり、一方の取付台にドレス工具を配装して、他方の取付台の研削砥石又は調整砥石をドレッシングすることが可能であるから、別途ドレッシング用の駆動機構などを設ける必要がなく、取付台の一方にドレス工具を配装するだけで作業性も良いばかりか、構造も簡素で小型化され、低コストともなるから経済的でもある。
【実施例】
【０００８】
図は本発明に係るセンタレス研削盤におけるドレッシング方法とその装置の実施例を示すもので、以下各図を参照して説明する。
【０００９】
実施例１
図１及び２は、センタレス研削盤の簡略図で、このセンタレス研削盤Ａは、機台１上に対設された一対の取付台２，３と、この取付台２，３のそれぞれに対向する状態で取付けられた砥石車４と調整車５及び、この間に配設された研削台６と、この研削台６に支持された、加工材ｗを載置するブレード７とを備えており、本例においては、前記各取付台２，３に砥石車４と調整車５の各車軸８の両端が両持状に固定された、いわゆる両持タイプの軸固定形式のセンタレス研削盤例を示すものである。
【００１０】
そして砥石車４は、図３に示すごとく車軸８の外周にスラスト、ラジアル又はすべりなどの軸受９を介して被嵌された回転筒体１０を備え、この回転筒体１０の外周には、一方端寄りに回転動用のプーリー部１０ａが周設され、他方端寄りに研削砥石１１が周設されており、車軸８の一方端には大径部８ａが設けられているもので、これにより両持タイプの軸固定形式の砥石車４が構成されている。
【００１１】
取付台２は一対の支持部１２，１２を備え、この各支持部１２は、上向き半円受部を有する受側１２ａと下向き半円受部を有する蓋側１２ｂに分割構成されており、砥石車４における車軸８の両端部位の把持部８ｃ，８ｃのそれぞれの外周面を、両半円受部で直径方向から挟むと共に、車軸８に続く大径部８ａの内フランジ面部８ｂを一方の支持部１２の外側面部位に当接させた状態でボルト１３により締付けることにより、砥石車４は、取付台２に対して車軸８（固定軸）の一方軸端方向から軸線方向の位置決めがされた状態で両持状に固定されている。
【００１２】
調整車５も前記砥石車４と同様の構成であり、車軸１４は、軸受９を介して被嵌された回転筒体１５の外周に回転動用のプーリー部１５ａと調整砥石１６を備えており、取付台３への固定状態にあっても同様であって、車軸１４の両端の把持部１４ｃ，１４ｃのそれぞれが取付台３の各支持部１７の受側１７ａと蓋側１７ｂにより挟持されていると共に、一方端に設けられた大径部１４ａの内フランジ面部１４ｂが、一方の支持部１７の外側面部位に当接され、これにより調整車５は取付台３に対して車軸１４（固定軸）の軸線方向の位置決めがされた状態でボルト１３により両持状に締付け固定されている。
【００１３】
そして砥石車４及び調整車５のそれぞれは、各回転筒体１０，１５のプーリー部１０ａ，１５ａと各取付台２及び３に配設されたモータ１８，１９のプーリー１８ａ，１９ａとの間に掛けられたベルト２０を介して、このモータ１８，１９により回転動するもので、この砥石車４及び調整車５は、両持固定された各支持部１２，１７のボルト１３を緩め、ベルト２０を外すことにより、簡易に取外すことができ、また砥石車４と調整車５及び、各取付台２と３が同様に構成されていることから、砥石車４と調整車５は、相互にどちらの取付台２，３にも取付け固定できる構成となっている。
【００１４】
更に、砥石車４の取付台２及び調整車５の取付台３のそれぞれは、駆動モータ２１ａ，２１ｂで回転するねじ杆２２ａ，２２ｂにより、研削加工時においてそれぞれの車軸８及び車軸１４に直交する方向に移動して加工材ｗを切込むこととなる切込方向進退動手段を備えており、また、取付台２，３の両方若くはどちらか一方、本例では砥石車４の取付台２側には、駆動モータ２３で回転するねじ杆２４により、この取付台２を車軸８の軸線と平行に移動させる横方向進退動手段を備えているもので、他方の調整車５の取付台３を駆動モータ２３ａで回転するねじ杆２４ａにより、車軸１４の軸線と平行に移動させる手段を併設することもある。
【００１５】
更にこのセンタレス研削盤Ａの各取付台２，３は、砥石車４の研削砥石１１及び調整車５の調整砥石１６の表面状態や形状を修正するドレッシング手段における、ロータリー形式やバイト形式などのドレス工具が装着脱可能に取付けられる構成となっている。
【００１６】
そして本例におけるロータリー式のドレス工具Ｂは、前記砥石車４や調整車５における取付台２，３の支持部１２，１７に固定される、車軸８，１４の両端と同径の把持部２５ｃを両端に有する軸２５を備え、この軸２５の外周には、軸受２６を介して回転筒体２７が回転可能に被嵌され、この回転筒体２７の外周には、一方端寄りに回転動用のプーリー部２７ａが周設され、中央部位には修正刃が周設されたロータリードレッサ２８が固定されており、軸２５の一方端には大径部２５ａが設けられている。
【００１７】
このロータリー式のドレス工具Ｂを図４，５に示す調整車５側の取付台３に配装する例によれば、軸２５の一方端に形成された大径部２５ａの内フランジ面部２５ｂを一方の支持部１７の外側面部位に当接させて、軸２５の両端把持部２５ｃの各外周面を、各支持部１７の半円受部で挟んだ状態でボルト１３により締付け固定して、回転用のプーリー部２７ａとモータ１９のプーリー１９ａ間にベルト２０を掛けるもので、モータ１９によりロータリードレッサ２８が回転動され、またボルト１３を緩めることにより取外すことができるものである。
【００１８】
前記ロータリー式のドレス工具Ｂは、軸２５の両端把持部２５ｃが取付台３の各支持部１７に両持状に固定される両持タイプの軸固定形式であるが、図６に示すごとく、片持タイプの軸固定形式のロータリー式ドレス工具Ｂ´でも良い。
【００１９】
このロータリー式ドレス工具Ｂ´は、短軸２９の一方端に大径部２９ａが形成されていると共に、この大径部２９ａに続く把持部２９ｂから他方端に至る外周に、軸受３０を介して回転筒体３１が被嵌され、回転筒体３１には、短軸２９の把持部２９ａ方向となる一方端部位に、回転動用のプーリー部３１ａが設けられ、他方端部位には、修正刃が周設されたロータリードレッサ２８が固定された構成であって、これを取付台３の両支持部１７，１７におけるモータ１９のプーリー１９ａ側となる片方の支持部１７に片持状に固定するものである。
なお、前記ロータリードレッサ２８に替えて、研削砥石又は調整砥石を周設すれば、片持タイプの軸固定形式の砥石車若くは調整車が構成される。
【００２０】
バイト式のドレス工具Ｃは、単石ダイヤモンドや多石ボンドタイプなどのバイト３３がホルダー３４に保持された態様で、図８に示すごとく、ホルダー３４の両側に突設された把持棒部３４ａのそれぞれを、調整車５側の取付台３の各支持部１７，１７で挟んだ状態でボルト１３により締付け固定する手段のほか、前記バイト３３を別種のホルダーにより取付台３の軸支持部以外の箇所にとり付ける態様もある。
勿論前記のごとく、両取付台２，３は同様に構成されていることから、各ドレス工具Ｂ，Ｂ´，Ｃは同じ仕方で砥石車４側の取付台２にも配設することができる。
【００２１】
このセンタレス研削盤Ａは、ブレード７上に加工材ｗを載置して各取付台２，３上の各モータ１８，１９からベルト２０を介して砥石車４及び調整車５を回転動すると共に、駆動モータ２１ａ，２１ｂで回転するねじ杆２２ａ，２２ｂにより、砥石車４及び調整車５を加工材ｗの大きさなどの加工態様に応じて切込方向に制御動しつつ砥石車４における研削砥石１１の回転研削力により加工物ｗの周面を研削加工するものである。
【００２２】
砥石車４の研削砥石１１及び調整車５の調整砥石１６の表面状態や形状を修正するドレッシング（ツルーイング）をロータリー式ドレス工具Ｂ，（Ｂ´）による場合は、ブレード７とロータリー式ドレス工具Ｂ，（Ｂ´）の干渉を避けるために、このブレード７を移動させると共に、調整車側の取付台３から調整車５を取外して、ここにロータリードレッサ２８を備えたドレス工具Ｂ，（Ｂ´）を固定することにより、砥石車４における研削砥石１１のドレッシング操作状態となる（図４）。
【００２３】
そして、調整車側の取付台３のモータ１９によりロータリードレッサイ２８を回転動すると共に、砥石車側の取付台２の切込方向進退動手段における駆動モータ２１ａとねじ杆２２ａによりドレス工具Ｂ，（Ｂ´）方向すなわち切込方向へ、また横方向進退動手段における駆動モータ２３とねじ杆２４によりドレス工具Ｂ，（Ｂ´）に沿って横方向へと取付台２をＮＣ制御等移動制御して、研削砥石１１の周面を所望の形状や表面状態に修正（ドレッシング）する。
【００２４】
また図７に示すごとく、調整車５側の取付台３の各支持部１７に両持状に固定された両持タイプの軸固定形式であって、対向する取付台２の研削砥石１１より幅広のロータリドレッサ２８´が配装された態様においては、砥石車側の取付台２の切込方向進退動手段における駆動モータ２１ａとねじ杆２２ａにより取付台２をドレス工具方向に、または調整車側の取付台３の切込み方向進退動手段における駆動モータ２１ｂとねじ杆２２ｂにより、取付台３を砥石車４方向、すなわち切込み方向へＮＣ制御等移動制御して研削砥石１１を修正する。
【００２５】
調整車５における調整砥石１６のドレッシング操作は、砥石車側の取付台２から砥石車４を取外して、ここにロータリー式ドレス工具Ｂ，（Ｂ´）を固定するもので、前記と同様にこの砥石車側の取付台２の切込方向進退動手段と横方向進退動手段によりこの取付台２すなわちドレス工具Ｂ，（Ｂ´）を移動制御して、調整砥石１６の周面を修正（ドレッシング）するものである。
【００２６】
バイト式ドレス工具Ｃによるドレッシング（ツルーイング）にあっては、このバイト式ドレス工具Ｃとの干渉を避けるためにブレード７を移動させると共に、調整車側の取付台３から調整車５を取外して、この取付台３にバイト式ドレス工具Ｃを固定することにより砥石車４における研削砥石１１のドレッシング操作状態となる（図８）。
【００２７】
そして砥石車側の取付台２におけるモータ１８によりベルト２０を介して砥石車４を回転動すると共に、前記と同様に砥石車側の取付台２の切込方向進退動手段と横方向進退動手段によりこの取付台２を移動制御して、研削砥石１１の周面を修正（ドレッシング）するもので、調整車５の調整砥石１６を修正する場合も前記と同様である。
【００２８】
前記ロータリー式ドレス工具Ｂ，Ｂ´やバイト式ドレス工具Ｃによるドレッシング操作において、砥石車側の取付台２の移動制御だけでなく、調整車側の取付台３の切込方向進退動手段となる駆動モータ２１ｂ及びねじ杆２２ｂと、横方向進退動手段となる駆動モータ２３ａ及びねじ杆２４ａの稼動によるドレッシング操作も可能である。
【００２９】
前記ドレッシング操作は、取付台２又は３のどちらか一方にロータリー式やバイト式のドレス工具Ｂ，Ｂ´，Ｃを固定する態様であるが、砥石車４とその取付台２及び調整車５とその取付台３は、前記のごとく相互に構成が同様であることから、砥石車４の研削砥石１１をドレッシングする態様において、ドレッシングを終了した砥石車４を取付台２から外して、この砥石車側の取付台２に調整車５を固定して調整車５における調整砥石１６をもドレッシング操作することが可能となり、逆の態様にあっても同様となる。
【００３０】
本例においては、前記のごとく砥石車４と調整車５及びこれらの取付台２，３相互が同様の構成であることから、どちらの取付台２，３にも砥石車４又は調整車５を取付けることができると共に、各取付台２，３のそれぞれにドレス工具Ｂ，Ｂ´，Ｃが配装できる形態であるが、どちらか一方の取付台、例えば前記調整車５側の取付台３だけ前記ロータリー式のドレス工具Ｂが配装可能な構成とし、この調整車５側の取付台３に取付けられたロータリー式のドレス工具Ｂにより、対向する他方側の砥石車４の研削砥石１１をドレッシングして、調整車５の調整砥石１６をドレッシングする場合にあっては、砥石車４側の取付台２に取付けたバイト式のドレス工具Ｃによる手段を採ることも考えられる。
【００３１】
以下は、他例構成の取付台を備えたセンタレス研削盤におけるドレッシング装置を調整車とその取付台例について示し、先の実施例と同様の機能を有するものについては、同一の符号を付して説明を省略することもある。
【００３２】
実施例２
図９中符号５０は、先の実施例のセンタレス研削盤Ａにおけると同様な調整車側の取付台を示し、この取付台５０は、間隔をもって配置された一対の支持部５１，５２と、この両支持部５１，５２間に架設された状態で両端部位が両持状に支持されることとなる固定軸５３と、この固定軸５３の外周に軸受５４を介して回転可能に被嵌された回転筒体５５を備えている。
【００３３】
そして固定軸５３は、一方端５３ａ付近が一方の支持部５１により受支されると共に、この一方端５３ａが一方の支持部５１から突設された支持片５１ａに、軸心と直交する方向の支軸５６で枢支されており、これにより固定軸５３が揺動可能な構成となっている。
【００３４】
更に固定軸５３の他方端側である自由端５３ｂは、二ツ割状に構成された他方の支持部５２の受側５２ａで受支持され、蓋側５２ｂで上方から挟持された状態で締付ボルト１３により着脱可能に固定され、これにより固定軸５３は各軸端部位５３ａ，５３ｂが取付台５０の各支持部５１と５２により両持状に固定されることとなる。
【００３５】
回転筒体５５は、固定軸５３の枢支端５３ａ部位方向の外周面に、この回転筒体５５を回転駆動するプーリー部５５ａが周設され、自由端５３ｂ方向の外周面には、回転工具の装着部５５ｂが設けられている。
【００３６】
装着部５５ｂは、回転筒体５５の略中央部位に周設された取付け鍔部５５ｃと、固定軸５３の自由端５３ｂ方向の外周面となる装着周面部５５ｄを備えており、取付け鍔部５５ｃの側面部には、同心円上に配列された複数の取付け螺子孔５５ｅが設けられている。
【００３７】
そしてこの取付台５０は、回転筒体５５の装着周面部５５ｄに、回転工具である調整車輪５７やロータリー式ドレス工具５８及び砥石車輪を装着する構成となっている。
【００３８】
調整車輪５７は、回転筒体５５の装着周面部５５ｄに嵌着する嵌着中央孔５７ａを有する筒状体５７ｂの外周に、調整砥石５７ｃが周設されていると共に、筒状体５７ｂには、取付け鍔部５５ｃの取付け螺子孔５５ｅに整合する複数の取付け孔５７ｄが設けられている。
【００３９】
この取付台５０に調整車輪５７を装着するには、回転筒体５５のプーリー部５５ａに掛けられたベルト２０を外して、枢支端５３ａ側の支軸５６を支点に自由端５３ｂ側を持ち上げた状態とし、回転筒体５５の装着周面部５５ｄに調整車輪５７の嵌着中央孔５７ａを嵌めて、取付け孔５７ｄと取付け鍔部５ｃの取付け螺子孔５５ｅを整合させ、これに取付けボルト５９を通して締付け固定し、自由端５３ｂ側を支持部５２の受側５２ａと蓋側５２ｂで挟持した状態で締付けボルト１３で固定するものである。
【００４０】
砥石車輪にあっても前記調整車輪５７と同様の構成で、取付台への装着も同操作による。
【００４１】
前記取付台５０に装着された調整車輪５７や、対向する取付台に装着された砥石車輪のドレッシング手段は、この取付台５０に取付ける前記実施例１におけるバイト式ドレス工具Ｃのほかロータリー式ドレス工具５８によるもので、このロータリー式ドレス工具５８は、嵌着中央孔５８ａを有する筒状体５８ｂの側面部位に、修正刃が周設されたロータリードレッサ５８ｃが固定されていると共に、筒状体５８ｂには、複数の取付け孔５８ｄが設けられているもので（図８ロ）、例えば対向する取付台に装着された砥石車輪をドレッシングする場合には、取付台５０に装着された調整車輪５７を、前記とは逆の操作により取り外して、ロータリー式ドレス工具５８を前記と同様な操作により装着するものである。
【００４２】
実施例３
図１０に示す取付台７０は両持タイプの軸回転形式の砥石車や調整車を取付ける形態で、この両持タイプの軸回転形式の調整車７１（砥石車も同様）は、車軸７２の一方端と他方端寄りの各部位に、軸受７３を介して支持筒７４が外嵌され、車軸７２の両支持筒７４間部位には、取付け鍔部７５が形成されており、この取付け鍔部７５には、輪状の調整砥石７６（以下調整砥石輪又は研削砥石輪）が取付け輪７７により挟まれた状態で取付けボルト７８で締付け固定され、この車軸７２の他方端には、ウオームホイール７９が固定されているものである。
【００４３】
取付台７０は、二ツ割構成の支持部８０，８０を備え、この各支持部８０，８０により、調整車７１における把持部となる、車軸７２の両端部位の各支持筒７４が両持状に固定され、ウオームホイール７９は駆動源に連絡するウオーム８１に噛合されており、車軸７２の回転と共に調整砥石輪７６が回転動される。
【００４４】
この取付台７０に取付けられた砥石車の研削砥石輪や調整車７１の調整砥石輪７６をドレッシングするロータリー式ドレス工具８２は、前記調整車７１と同様に構成され、車軸７２の取付け鍔部７５と取付け輪７７により、修正刃が周設されたロータリードレッサ輪８３が挟まれた状態で締付け固定されており（図９ロ）、例えば取付台７０に取付けられた前記調整車７１を外して、ロータリードレス工具８２の把持部となる各支持筒７４，７４を各支持部８０，８０で両持状に固定して装着し、対向する取付台の砥石車の研削砥石輪を修正するものである。
【００４５】
実施例４
図１１に示す取付台９０は、片持ちタイプの軸回転形式の砥石車輪や調整車輪を取付ける形態で、取付台９０の支持部９１に軸受９３を介して一方端が突出した態様の軸９２が軸承されており、この軸９２の他方端には回転動用のプーリー（図示せず）が固定され、前記突出端には回転工具の装着用テーパー軸部９２ａと、軸心線上の取付け螺子孔９２ｂが設けられている。
【００４６】
そしてここにおける調整車輪９４は（砥石車輪も同じ）、装着用テーパー軸部９２ａに嵌着させる嵌着中央テーパー孔９５ａを有する支持輪９５の外周に調整砥石９６が周設されているもので、嵌着中央テーパー孔９５ａを軸９２の装着用テーパー軸部９２ａに嵌めて取付けネジ９７で締付け固定する。
【００４７】
この取付台９０に取付けられた砥石車輪の研削砥石や調整車輪９４の調整砥石９６をドレッシングするロータリー式ドレス工具９８は、前記調整車輪９４と同様に構成されており、支持輪９５の外周に、修正刃が周設されたロータリードレッサ輪９９が配設された形態であって（図１０ロ）、例えば、取付台９０に取付けられた調整車輪９４を取外し、ここに前記と同様の操作によりロータリードレス工具９８を装着して、対向する取付台に取付けられた砥石車輪の研削砥石を修正するものである。
【００４８】
前記実施例２乃至４においては、取付台にロータリー式ドレス工具を装着する態様を示すが、勿論バイト式ドレス工具を取付けることも可能であり、また、実施例１乃至４は、研削砥石側の取付台と調整砥石側の取付台が同様の構成であって、どちらの取付台にもドレス工具を装着できる構成を採るものであるが、どちらか一方の取付台にのみドレス工具が装着可能であり、また、研削砥石側の取付台と調整砥石側の取付台が相互に別異な構成である場合も考えられる。
【００４９】
前記実施例１乃至４のセンタレス研削盤におけるドレッシング装置は、研削砥石を有する砥石車及び調整車を有する調整車などを、どちらの取付台にも取付けることができると共に、両取付台のうちの一方若くはそれぞれに、ドレス工具を配装することができる構成であり、一方の取付台にドレス工具を配装して、他方の取付台の研削砥石又は調整砥石をドレッシングすることが可能であるから、別途ドレッシング用の駆動機構などを設ける必要がなく、取付台の一方にドレス工具を配装するだけで作業性も良いばかりか、構造も簡素で小型化され、低コストともなるから経済的でもある。
【図面の簡単な説明】
【００５０】
【図１】センタレス研削盤の簡略平面図。
【図２】センタレス研削盤の簡略正面図。
【図３】取付台の断面平面図。
【図４】ロータリー式のドレス工具を調整車側の取付台に配装した状態を示すセンタレス研削盤の簡略平面図。
【図５】図４における取付台の断面平面図。
【図６】片持タイプのロータリー式ドレス工具を取付台に配装した状態を示す断面平面図。
【図７】幅広のロータリー式ドレス工具を調整車側の取付台に配装した状態を示すセンタレス研削盤の簡略平面図。
【図８】バイト式ドレス工具を調整車側の取付台に配装した状態を示すセンタレス研削盤の簡略平面図。
【図９】調整車輪が装着された第２実施例における取付台の断面正面図（イ）とロータリー式ドレス工具の正面図（ロ）。
【図１０】両持タイプの軸回転形式の調整車が取付けられた第３実施例における取付台の断面正面図（イ）とロータリー式ドレス工具の断面正面図（ロ）。
【図１１】片持ちタイプの軸回転形式の調整車輪が取付けられた第４実施例における取付台の断面正面図（イ）とロータリー式ドレス工具の正面図（ロ）。
【符号の説明】
【００５１】
Ａ          センタレス研削盤
Ｂ，Ｂ´    ロータリー式ドレス工具
Ｃ          バイト式ドレス工具
ｗ          加工材
１          機台
２，３      取付台
４          砥石車
５          調整車
８，１４，２５                  車軸
８ｃ１４ｃ，２５ｃ，２９ｂ      把持部
１０，１５，２７，３１          回転筒体
１１        研削砥石
１２，１７  支持部
１６        調整砥石
２８        ロータリードレッサ
２９        短軸
３３        バイト
５０        取付台
５１，５２  支持部
５３        固定軸
５３ｂ      自由端
５５        回転筒体
５５ｂ      装着部
５６        支軸
５７        調整車輪
５７ａ      嵌着中央孔
５７ｃ      調整砥石
５８        ロータリー式ドレス工具
５８ａ      嵌着中央孔
７０        取付台
７１        調整車
７２        車軸
７４        支持筒
７５        取付け鍔部
７６        調整砥石輪
７７        取付け輪
８０        支持部
８２        ロータリー式ドレス工具
８３        ロータリードレッサ輪
９０        取付台
９１        支持部
９２        軸
９２ａ      装着用テーパー軸部
９４        調整車輪
９５        支持輪
９５ａ      嵌着中央テーパー孔
９６        調整砥石
９８        ロータリー式ドレス工具
９９        ロータリードレッサ輪
【図１】
2006218562.tif 000003
【図２】
2006218562.tif 000004
【図３】
2006218562.tif 000005
【図４】
2006218562.tif 000006
【図５】
2006218562.tif 000007
【図６】
2006218562.tif 000008
【図７】
2006218562.tif 000009
【図８】
2006218562.tif 000010
【図９】
2006218562.tif 000011
【図１０】
2006218562.tif 000012
【図１１】
2006218562.tif 000013